(57)【要約】【課題】袋等に物を収める機構として、開口部の形状を保持して任意に開閉でき、内容物の荷重に耐える強度を有し、臭気拡散防止を可能とし、次に使うの袋等を容易に装着でき、落下するものを受け止められかつ同じ構造で落下した平面上のものを包み取ることができる簡潔な機構を提供する。また、これを犬等の糞取り器として使うときに立ったまま操作ができるようにする。【解決手段】長い弾性材料１を曲げて輪を構成して袋または網あるいは筒状布等（以下「袋等２」）の開口部の支持材とし、輪の根元位置を固定した構造において、弾性材料１を引いて袋等開口部３が絞られ、弾性材料１と根元の本体弁座部５により袋等２を閉止する機構とする。袋等２のストックを本体ケーシング６等に収納しかつ折り返して広げやすい姿勢で保持される構造とする。操作棒１０やハンドル１２を設けるものとする。【選択図】        図１
2004250087.tif 000002
【特許請求の範囲】
【請求項１】
長く適度な太さの弾性材料（以下、「弾性材料」）を曲げて輪を構成して袋または網あるいは筒状布等（以下、「袋等」）の開口部の支持材とし、輪の根元位置を固定した構造において、弾性材料を引くことによって袋等の開口部が絞られ、弾性材料とその根元の固定部分の曲面形状により袋等を閉止または密閉する機構。
【請求項２】
請求項１に示す機構を持ち、閉止状態から袋等の一端を弾性材料で構成した輪に掛け、輪を押し出して開く操作により、あらかじめ使用準備のため一枚あるいは複数枚を設置した規定仕様の袋等を一枚ずつ開く機構。
【請求項３】
請求項１または請求項２の機構を具備する犬等の糞取り器。
【発明の詳細な説明】
【０００１】
【発明の属する技術分野】
本発明は、開口部の形状を保持して任意に開閉でき、上部から落ちてくるものを袋等で受け止めた後、袋等を閉じて内容物を保持することができ、同じ構造において、地面上、床面上にあるものを袋等でかぶせたうえ、袋等を閉じて内容物を包み取ることができる簡潔な機構に関するものである。
【０００２】
本発明は、０００１に示す条件を備え、弾性材料を開く操作により、あらかじめ設置した規定の手提げ樹脂袋（レジ袋）等を開くことができるようにする機構に関するものである。
【０００３】
本発明は、０００１または０００２の機構を利用した犬等の糞取り器に関するものである。
【０００４】
【従来の技術】
従来袋等に物を入れる作業は、袋等をストックから取り出す、袋等を開く、袋等の開口部を支持しながら物を入れる、袋等を閉じる、という一連の動作を人手によって行うか、これを機械化した場合は、複雑な装置を構成しなければならなかった。
【０００５】
犬等の糞を地面に落ちる前に人手により取ろうとするときは、従来は新聞紙等で受けたものを拾い上げて袋等に入れる等の処理をしていたので、犬等が糞をする仕草を見てから糞をし始めるまでに糞を受ける用意が間に合わなかったり、受けそこなったり、間に合っても慌てたり身体や衣服を汚したりすることがあった。犬等の糞を地面に落ちた後に人手によりとろうとするときは、従来は移殖ごて等で拾い上げて袋等に入れる等の処理をしていたので、糞を拾い上げる作業に手間がかかった。また、落下するものを受ける場合も落ちたものを拾い上げるにしても、人が屈むあるいはしゃがむ姿勢を取ることになり、飼い主の負担になっていた。
【０００６】
犬等の糞を、これまでの方式による道具で取ろうとするときは、本発明が解決する課題の全てを解決する従来の道具はなかった。
【０００７】
【発明が解決しようとする課題】
本発明により、袋等に物を受け止める機構として、支持された開口部の形状および強度を、対象物の荷重を受け止めるのに適したものとすることができる。
【０００８】
本発明により、簡易な構造としたうえ、対象物を受け止めた後に、開口部が任意に閉じることができ、内容物の飛び出し防止および臭気拡散防止を図ることができる。
【０００９】
本発明により、簡易な構造としたうえ、落下するものを受け止められかつ同じ構造で落下した平面上のものを包み取ることが可能になる。
【００１０】
本発明により、簡易な構造としたうえ、袋等を一回使用した後に、次の袋等を容易に装着することができるようになる。
【００１１】
本発明により、犬等の糞取り器として使うときに、立ったまま操作ができるようになる。
【００１２】
【課題を解決するための手段】
本発明は、任意の開閉、内容物の飛び出し防止および臭気拡散防止を図るため、弾性材料１を曲げて輪を構成して袋等開口部３の支持材とし、輪の根元位置を固定した構造において、弾性材料１を引くことによって袋等開口部３が絞られ、弾性材料１とその根元に設けた本体弁座部５の曲面形状により、袋等２を閉止または密閉するものとする。
【００１３】
袋等開口部３の形状や対象物の設定荷重に対応するため、袋等開口部３を支持する弾性材料１の材質選択と構成した輪を固定支持している部分の形状、配置、向きを、目的に応じて変えられるものとする。
【００１４】
上部から落下するものを袋等２に受けることができるものとし、かつ袋等開口部３を下に向けて地面上や床上にあるものを袋等２の中につかみ取ることができるものとするため、袋等開口部３を支持する弾性材料１で輪を構成し、その材質選択と構成した輪を固定支持している部分の形状、配置、向きを、目的に応じて変えられるものとする。
【００１５】
本発明は、袋等２を支持する弾性材料１として、ゴムチューブ、ゴム棒、樹脂チューブ、樹脂棒、金属ワイヤ、ワイヤケーブル、電気ケーブル等の柔軟かつ曲げに対してある程度の抵抗性をもつ材料およびこれらの複合物の中から選定することにより、袋等開口部３の形状を保持し対象物の荷重に耐えられるようにするものである。
【００１６】
弾性材料１の押し広げ、引き絞り操作を行うために、弾性材料１を接合部材１１により操作棒１０に結合し、操作棒１０の後端にハンドル１２を設けたものである。
【００１７】
本発明は、袋等２のストック保持構造を設け簡易に次の使用のために準備できるように、使用済みの袋を外した後に弾性材料１を一旦引き絞り、袋等２の一部を弾性材料１にひっかける等の後再度押出すことで、袋等２のストック保持部から袋等２の最上面のみが弾性材料１に引っ張り出されて開くと同時に、弾性材料１によって袋等開口部３が支持されるようにしたものである。
【００１８】
本発明は、次に使用する袋等２の準備を容易にするため、袋等２のストックを本体ケーシング６と結合した外側ストック保持器１３等に収納しかつ折り返して袋等開口部３を広げやすい姿勢で保持される構造としたものである。
【００１９】
本発明は、００１２から００１７の機構を犬等の糞取りとして利用し、犬等の糞を袋等に収めてごみとして簡易に取り扱うことができるように、手提げ樹脂袋（レジ袋）等の選定に対応して製作あるいは使用調整できるものとする。また、規定した袋等２のストックを保持している状態においても、規定外の袋等２を手で広げて装着使用することができるようにしたものである。
【００２０】
【発明の実施の形態】
弾性材料１を引き絞る構造のひとつとして、弾性材料１の固定を管（管状固定支持材７）に挿入することにより行う構造とする。本構造においては、袋等開口部３を開閉する動作として、弾性材料１が管内で操作棒１０に接続し、操作棒１０を前方に押すことによって弾性材料１を押し広げ、後方に引き戻すことによって弾性材料１を引き絞る機構とする。
【００２１】
弾性材料１を引き絞る構造のひとつとして、弾性材料１に中空のチューブ材料を用い、弾性材料のチューブ内部に挿入した棒状固定支持材８とする構造をもつものとする。本構造においては、袋等開口部３を開閉する動作として、棒状固定支持材８が挿入された弾性材料１と操作棒１０を連結し、操作棒１０を前方に押すことによって弾性材料１を押し広げ、後方に引き戻すことによって弾性材料１を引き絞る機構とする。
【００２２】
弾性材料１として、押出したときの袋等開口部３の形状が保持され、更に中に物が入ったときの形状も保持されるだけの強度及び曲げに対する反発力を有するものを選定する。また弾性材料１を根元で固定支持する位置を、押し出し・引き絞りにおいて弾性材料１の軌道が変わらない最前部までとして形状の保持を確保するものとする。
【００２３】
内容物の飛び出し防止および臭気拡散防止を図る方策として、本体前面部を弾性材料２の閉止時の弁座（本体弁座部５）とするため、本体前面部に弾性材料２の閉止時の形状に合わせた溝を設けた構造とする。
【００２４】
閉止状態において、次に使用する袋等２の前方端部を弾性材料１が構成する輪に掛け、更に袋等２の左右両端を本体に設けたフック９にかけることにより、弾性材料１を押出したときに、弾性材料１で折り返した袋等２の端部が作る輪の径が弾性材料１の輪の径よりやや小さくなり、袋等２の中に物が入り荷重がかかっても袋等２がずり落ちにくくなる構造とする。
【００２５】
単数または複数の袋等のストック機構として、袋等の下部を折りたたみ内側ストック保持器１４と外側ストック保持器１３で押さえることにより、ストックを本体ケーシング６の裏側に設置するものとする。更に順番に使用するための装着となるようにストックの上端袋口側を、弾性材料１が作る輪を通して折り返したうえ、本体ケーシング６の表側のフック９等に留める構造とする。
【００２６】
袋等２のストックがずり落ちずかつストックの最前部の一枚が引き出されるときに、引き出される袋等２と残ったストックの間が容易に滑るようにするため、内側ストック保持器１４を包むように袋等のストックの底部を底辺の中点を頂点として三角形に折りたたみ外側ストック保持器１３の中に収納する構造とする。
【００２７】
犬等の糞取り器として利用する場合、犬等の糞が屈む等することなく立位で取れるように柄を有するものとする。また弾性材料１を押し出し・引き絞り操作が操作できるように、手元にハンドル１２を有するものとする。
【００２８】
【実施例】
本発明は、袋詰め工程を含む工場ラインの一部、壊れやすいものをつかむ遠隔操作機械の動作部分等、機械装置に適用することにより、装置の簡素化が図れる、設置スペースを小さくできるなどの効果が期待できる。
【００２９】
本発明は、穀類、豆類、菓子、化学薬品等計り売り品の袋詰め等、小売り販売等の袋詰めに適用することにより、袋等２を計量器の上部で広がるように設置することで、計量器１７の台や皿の汚染が防止される、計量後の移し変えが不用となる等作業量を低減する、袋等開口部３が保持され両手が使えることで計量対象物１８の投入を失敗することが減少する、等の効果が期待できる。
【００３０】
本発明を適用して木の実１９などを収穫する場合、枝全体を包んで枝の根元で弾性材料１を絞り、枝全体を揺らすことにより、地面に落とさずに直接袋または地上に達する筒状布の中に収めることができる。また弾性材料１により構成する輪を二段とし、上部の弾性材料１に隠し刃２０を設置し、下部の弾性材料１に袋または筒状布を装着する等、本発明を応用することにより、果実２１等を包んで枝との間で弾性材料１を絞り、枝から切り離すと同時に、袋または地上に達する筒状布にて受けることができる。これら収穫器具としての応用においては本体を長くすることにより、高所作業を低減し、梯子等の移動手間など作業時間の短縮と、高所からの落下事故リスクの低減が期待できる。
【００３１】
補虫網や漁労用タモなどにおいて、開口部が開いたままの網では、目的物を網に収めた後うまくすくい取らなければ、逃がしてしまうことがあるが、本発明を適用することにより、開口部を絞ることができるので、すくい取るだけでなくかぶせ取ることが可能であり、取り逃がすことを少なくすることができる。また、水槽から袋等２に観賞魚２３を移すときに、従来は観賞魚用網２２で魚をすくった後網を反転して一度小さな容器に入れてから袋等２に移しているが、網を筒状にして底部の開口部に本発明を応用することにより、網ですくった魚を底部の弾性材料１による開閉・支持機構により袋等２に移すことができるようになる。
【００３２】
袋等２に外部から内部への噴霧口２４を設置する等して、草木に殺虫剤２５を散布することに本発明を応用することにより、殺虫剤２５等を枝毎にあるいは鉢毎に有効濃度を規定の時間保持できる、大型の鉢植２６や大きな枝でも十分な開口部直径を保って短時間に袋等を被せられ、飛行力のある害虫でも逃す量を少なく全体を覆うことができる、などの効果が期待できる。また、殺虫剤の周辺への飛散量を少なくでき、更に送風機と除外装置を組み合わせる等により、袋等を開けたときの被曝を低減することができる。また、人家近くに作られた蜂の巣撤去には、巣自体を袋に封入する、飛び回る蜂を捕獲するという両方の用途に応用することができる。
【００３３】
ごみを捨てる容器において、ごみ箱の内部に袋を広げた場合、ごみ箱と袋の形状と大きさが合わないことが多く、ごみ箱の容量及び袋の容量が十分利用できないことがあったが、本発明を適用することにより、袋の容量を十分利用できる、床設置の他、壁掛けあるいは机の横に掛ける等設置位置の選択幅が広がる等のメリットがある。また、ストック付きとすることでごみ出し後次の袋が容易にセットできるようになる。また、生ごみ入れ２７などに適用することにより、臭気の発散を低減することができる。
【００３４】
その他、草むしり、河床生物の採集、小動物の捕獲などに応用できる。
【００３５】
【発明の効果】
本発明を適用することによりこれまでの方式に比べて、作業量が削減できる、対象物封入失敗の減少、高所作業の低減、装置の簡素化、設置スペースの低減等の効果が発生することになる。例えば、従来、人手による袋詰め作業は、開口部を支持しながら対象物を入れる作業において期待する開口部形状が保持できずに入れたいものがこぼれてしまうなどの不具合が生じたが、本発明はこの不具合を解消するものである。また従来の機械化装置においては、袋等の仕様を変更すると装置の改造を必要としたが、本発明はある程度の袋の仕様変更に対して柔軟に対応でるものである。また従来の機械装置においては、（１）袋等をストックから１枚取り出す（２）袋等を開けて開口部の形状を支持する（３）袋等を対象物の投入口に設置する（４）袋等に対象物を入れる（５）袋等を閉じる（６）袋等を取外す、という一連の動作につきそれぞれの機構を構築して組み合わさなければならなかったが、本発明は、これらの性能を複合的に持たせた弾性材料等にて構成することにより、簡易な構造にかかわらず複数の効果を有する道具等としたものである。また、簡潔な構造であることから保守管理が容易であり、よって万一の故障や破損においても、修理、部品交換が容易にできる。
【００３６】
本発明は、実施例に挙げた通り、袋の中にものを収める機構であるとともに、弾性材料と本体弁座部５による柔軟かつ強力なグリップ性能を有し、広い分野に応用して効果が期待できるものである。
【００３７】
犬等の糞を採取することが容易になることにより、飼い主の作業負担を減らすことができる。また犬等の散歩に持参する等糞取り用品は、従来は移殖ごて、新聞紙、樹脂製袋、ティッシュ等複数であったものが、本発明品のみを持参すれば犬等が糞をするところを直接採取することができ、加えて同一のもので地面に落ちてしまった糞も包み取ることができることは、飼い主の散歩準備の煩わしさを軽減するものである。更に、犬等の糞の処理方式は地域によって自治体収集ごみに出す、トイレに流す、土中に埋めてたい肥化する等の方法があるが、袋の材質を処理方法に合わせて選定することができる。
【図面の簡単な説明】
【図１】全体の外観を示す斜視図である。
【図２】袋等を装着した状態で袋等との位置関係を示す先端部の斜視図である。
【図３】弾性材料により袋の開口部を広げて支持する状態を示す先端部の斜視図である。
【図４】弾性材料により袋の開口部を閉止した状態を示す先端部の斜視図である。
【図５】弾性材料を固定支持管に挿入して固定する形態例を示す平面図である。
【図６】弾性材料に固定支持棒を挿入して固定する形態例を示す平面図である。
【図７】袋等のストック方式を示す斜視図である。
【図８】犬の糞を地面に落とさずに受ける場合の糞取り器の使用例を示す斜視図である。
【図９】犬の糞が地面上にある場合の糞取り器の使用例を示す斜視図である。
【図１０】計り売りへの適用例を示す立面図である。
【図１１】木の実の収穫への適用例を示す斜視図である。
【図１２】果実の収穫への適用例を示す斜視図である。
【図１３】観賞魚用の網への適用例において魚を捕獲する形態を示す斜視図である。
【図１４】観賞魚用の網への適用例において魚を袋に移す形態を示す斜視図である。
【図１５】鉢植の殺虫剤散布への適用例を示す斜視図である。
【図１６】生ごみ入れへの適用例を示す斜視図である。
【符号の説明】
１  弾性材料
２  袋等
３  袋等開口部
４  本体
５  本体弁座部
６  本体ケーシング
７  管状固定支持材
８  棒状固定支持材
９  フック
１０  操作棒
１１  接合部材
１２  ハンドル
１３  外側ストック保持器
１４  内側ストック保持器
１５  ベルト
１６  犬の糞
１７  計量器
１８  計量対象物
１９  木の実
２０  隠し刃
２１  果実
２２  観賞魚用網
２３  観賞魚
２４  噴霧口
２５  殺虫剤
２６  鉢植
２７  生ごみ入れ
２８  シンク
【図１】
2004250087.tif 000003
【図２】
2004250087.tif 000004
【図３】
2004250087.tif 000005
【図４】
2004250087.tif 000006
【図５】
2004250087.tif 000007
【図６】
2004250087.tif 000008
【図７】
2004250087.tif 000009
【図８】
2004250087.tif 000010
【図９】
2004250087.tif 000011
【図１０】
2004250087.tif 000012
【図１１】
2004250087.tif 000013
【図１２】
2004250087.tif 000014
【図１３】
2004250087.tif 000015
【図１４】
2004250087.tif 000016
【図１５】
2004250087.tif 000017
【図１６】
2004250087.tif 000018